(57)【要約】  洗濯機のダンパー及び洗濯機であって、前記ダンパーは、懸架ロッド（１）を含み、前記懸架ロッド（１）は一端が洗濯機の筐体／外槽に接続される。前記ダンパーは、更に、一端に洗濯機の外槽／筐体に接続される掛架ロッド（２１）が設けられ、他端が、懸架ロッド（１）に摺動するよう設置される接続部材（２３）を介して懸架ロッド（１）に接続される第１弾性構造（２）と、第１弾性構造（２）の内部に設けられるとともに、一端が懸架ロッド（１）に接続される第２弾性構造（３）、を含む。前記懸架ロッド（１）は、掛架ロッド（２１）に対し軸方向に移動可能に設けられており、移動時に前記第１弾性構造（２）と第２弾性構造（３）に変形を生じさせる。前記ダンパーによれば、制震効果が顕著に強化される。且つ、占有スペースが小さくなるため、ダンパーが洗濯機の内部構造と衝突しにくく、洗濯過程での騒音が低減する。【選択図】図１
2020519377.tif 000002
【特許請求の範囲】
【請求項１】
懸架ロッドを含み、前記懸架ロッドの一端が洗濯機の筐体／外槽に接続される洗濯機のダンパーであって、更に、
一端に洗濯機の外槽／筐体に接続される掛架ロッドが設けられ、他端が、前記懸架ロッドに摺動するよう設置された接続部材を介して前記懸架ロッドに接続される第１弾性構造、及び、
前記第１弾性構造の内部に設けられるとともに、一端が懸架ロッドに接続される第２弾性構造を含み、
前記懸架ロッドは、前記掛架ロッドに対し軸方向に移動可能に設けられており、移動時に前記第１弾性構造及び第２弾性構造に変形を生じさせることを特徴とする洗濯機のダンパー。
【請求項２】
前記第１弾性構造は吊りバネを含み、前記吊りバネは、吊りバネ本体、及び、前記吊りバネ本体の一端に設けられる掛架ロッド及び他端に設けられる接続部材を含み、
前記接続部材は吊りバネ固定ベースであって、吊りバネ本体に取り外し可能に接続され、前記第２弾性構造は、吊りバネ本体内に設けられて吊りバネ固定ベースと懸架ロッドの他端の間に位置し、好ましくは、前記吊りバネ固定ベースと前記吊りバネ本体がネジ接続されることを特徴とする請求項１に記載の洗濯機のダンパー。
【請求項３】
前記第２弾性構造は、制震バネ、第１バネ座、及び、第２バネ座を含み、
前記第１バネ座及び前記第２バネ座は、それぞれ前記制震バネの両端に設けられるとともに前記制震バネと当接し、前記第２弾性構造は、前記第２バネ座を介して吊りバネ固定ベースに当接し、前記第１バネ座を介して前記懸架ロッドの他端に接続され、
前記懸架ロッドは、吊りバネ固定ベース、前記第２バネ座、前記制震バネ及び前記第１バネ座に順に挿通され、且つ、前記懸架ロッドの他端には、前記第１バネ座が前記制震バネの作用で離脱しないよう防止する位置決め構造が設けられていることを特徴とする請求項１又は２に記載の洗濯機のダンパー。
【請求項４】
前記吊りバネ固定ベースの中心には貫通孔が設けられており、前記懸架ロッドは、前記貫通孔に挿通されて吊りバネ本体内に伸入するとともに、前記第２弾性構造に接続され、
前記貫通孔は、前記懸架ロッドと摺動するよう係合する第１貫通孔部及び第２貫通孔部を含み、
前記第２貫通孔部内には第２バネ座と制震バネの一部が設けられ、前記第２バネ座は、前記制震バネによって前記第２貫通孔部内に当接し、
前記第１貫通孔部の孔径は前記第２貫通孔部よりも小さく、これらの交差箇所に、前記制震バネの作用で前記第２バネ座が離脱しないよう防止する位置規制構造が設けられることを特徴とする請求項２又は３に記載の洗濯機のダンパー。
【請求項５】
前記吊りバネ固定ベースの第１貫通孔部の内側には、ダンピンググリースを保持するための減衰溝が設けられ、前記減衰溝が設けられた前記吊りバネ固定ベースの外側には吊りバネ補強リブが設けられ、
好ましくは、前記減衰溝は貫通孔の軸方向に延伸し、前記吊りバネ補強リブが前記減衰溝に対応して設けられ、
より好ましくは、前記減衰溝は第１貫通孔部の周方向に均一に設けられ、前記吊りバネ補強リブが前記減衰溝に対応して設けられることを特徴とする請求項４に記載の洗濯機のダンパー。
【請求項６】
前記第１バネ座および前記第２バネ座の中心には、いずれも前記懸架ロッドを挿通するための貫通孔が設けられ、前記第２バネ座の貫通孔は、少なくとも一部が前記懸架ロッドと摺動するよう係合し、
前記第２バネ座における前記懸架ロッドと摺動するよう係合する貫通孔の内部には、ダンピンググリースを保持するための溝が設けられ、前記第２バネ座のうち溝が設置される部分の外側には補強リブが設けられ、
好ましくは、前記溝は前記第２バネ座の貫通孔の軸方向に延伸し、前記補強リブが溝に対応して設けられ、
より好ましくは、前記溝は貫通孔の周方向に均一に設けられ、前記補強リブが溝に対応して設けられることを特徴とする請求項３に記載の洗濯機のダンパー。
【請求項７】
前記第２弾性構造は減衰ユニットを更に含み、前記減衰ユニットは、第２バネ座と吊りバネ固定ベースの間に設けられ、一端が吊りバネ固定ベースの第２貫通孔部と摺動するよう係合するとともに、他端が第２バネ座の貫通孔内に伸入し、
前記減衰ユニットの外側のうち第２バネ座の貫通孔に伸入する一端は円錐台構造をなしており、前記一端の端部サイズが最も小さく、
前記減衰ユニットの中心には貫通孔が設けられており、前記懸架ロッドが前記貫通孔に挿通されて前記貫通孔と摺動するよう係合することを特徴とする請求項３又は４に記載の洗濯機のダンパー。
【請求項８】
前記減衰ユニットの貫通孔内には少なくとも３本の減衰リブが設けられ、好ましくは、前記減衰リブは減衰ユニットの貫通孔の周方向に均一に設けられ、
前記減衰ユニットの貫通孔の両端には少なくとも１つの切欠きが設けられ、好ましくは、前記貫通孔の両端の切欠きはずらして設けられることを特徴とする請求項７に記載の洗濯機のダンパー。
【請求項９】
請求項１〜８のいずれかに記載のダンパーが配置されており、更に、洗濯機筐体及び洗濯機外槽を少なくとも含む洗濯機であって、
前記洗濯機筐体は、前記懸架ロッドと係合する装着構造が設けられて前記懸架ロッドに接続され、前記洗濯機外槽は、底部の円周側に前記掛架ロッドと係合する装着構造が設けられて前記掛架ロッドに接続され、
或いは、前記洗濯機筐体は、前記掛架ロッドと係合する装着構造が設けられて前記掛架ロッドに接続され、前記洗濯機外槽は、底部の円周側に前記懸架ロッドと係合する装着構造が設けられて前記懸架ロッドに接続されることを特徴とする洗濯機。
【請求項１０】
前記懸架ロッドのうち前記第１弾性構造から離間する一端は、フック状構造とする、又は前記懸架ロッドが洗濯機の筐体／外槽から離脱しないよう防止する位置決め構造とし、前記洗濯機の筐体／外槽には、前記フック状構造と係合するフック孔、又は、前記位置決め構造と係合する装着孔が設けられ、
前記掛架ロッドのうち第１弾性構造から離間する一端は、フック状構造とする、又は、掛架ロッドが洗濯機の外槽／筐体から離脱しないよう防止する位置決め構造とし、前記洗濯機の外槽／筐体には、前記フック状構造と係合するフック孔、又は、位置決め構造と係合する装着孔が設けられることを特徴とする請求項９に記載の洗濯機。
【発明の詳細な説明】
【技術分野】
【０００１】
本発明は洗濯機器に関し、特に、洗濯機のダンパー及び前記ダンパーが装着された洗濯機に関する。
【背景技術】
【０００２】
従来のパルセータ洗濯機の制震ユニットは、主に、懸架ロッドとダンパーを含む。懸架ロッドの一端は洗濯機の筐体に接続され、ダンパーは洗濯機の外槽の懸架ベースに懸架される。ダンパーは体積比がやや大きいため、洗濯機の外槽底部の外側において大きなスペースを占有する。且つ、ダンパーを適切に装着するために、洗濯機の外槽底部は体積が大きめとなっている。また、洗濯機の脱水起動運転時には、モータの起動に伴って、洗濯機の外槽にぐらつきや揺動が生じ、振幅が大きくなることがある。このとき、ダンパーが外槽の底部と干渉し、異常な震動や騒音が発生するため、使用体験に支障が生じる。
【０００３】
以上に鑑みて、本発明を提案する。
【発明の概要】
【発明が解決しようとする課題】
【０００４】
本発明は、従来技術の瑕疵を解消し、制震効果が強化され、洗濯機の内部スペースの占有が減少するとともに、洗濯機の運転ノイズが低減する洗濯機のダンパーを提供することを目的とする。
【０００５】
また、本発明は、上記のダンパーが装着された洗濯機を提供することを他の目的とする。
【課題を解決するための手段】
【０００６】
第一の目的を実現するために、本発明では以下の技術方案を用いる。
【０００７】
洗濯機のダンパーであって、懸架ロッドを含み、前記懸架ロッドの一端が洗濯機の筐体／外槽に接続される。前記ダンパーは、更に、一端に洗濯機の外槽／筐体に接続される掛架ロッドが設けられ、他端が、懸架ロッドに摺動するよう設置される接続部材を介して懸架ロッドに接続される第１弾性構造と、第１弾性構造の内部に設けられるとともに、一端が懸架ロッドに接続される第２弾性構造、を含む。前記懸架ロッドは、掛架ロッドに対し軸方向に移動可能に設けられており、移動時に前記第１弾性構造と第２弾性構造に変形を生じさせる。
【０００８】
更に、前記第１弾性構造は吊りバネを含み、吊りバネは、吊りバネ本体と、吊りバネ本体の一端に設けられる掛架ロッド及び他端に設けられる接続部材を含む。前記接続部材は吊りバネ固定ベースであって、吊りバネ本体に取り外し可能に接続される。前記第２弾性構造は、吊りバネ本体内に設けられて吊りバネ固定ベースと懸架ロッドの他端の間に位置する。好ましくは、前記吊りバネ固定ベースと前記吊りバネ本体がネジ接続される。
【０００９】
前記吊りバネ本体と掛架ロッドは一体的に成型される。或いは、前記吊りバネ本体と掛架ロッドは固定接続される。或いは、前記吊りバネ本体と掛架ロッドは取り外し可能に接続される。
【００１０】
更に、前記第２弾性構造は、制震バネ、第１バネ座、第２バネ座を含む。前記第１バネ座及び第２バネ座は、それぞれ制震バネの両端に設けられるとともに制震バネと当接し、前記第２弾性構造は、第２バネ座を介して吊りバネ固定ベースに当接し、第１バネ座を介して懸架ロッドの他端に接続される。前記懸架ロッドは、吊りバネ固定ベース、第２バネ座、制震バネ及び第１バネ座に順に挿通され、且つ、懸架ロッドの他端には、第１バネ座が制震バネの作用で離脱しないよう防止する位置決め構造が設けられている。ロッドの他端は接続されている。前記第１バネ座には、制震バネの弾性力の作用によって懸架ロッドから離脱するような付勢力がかかるが、位置決め構造を設けることで、懸架ロッドからの第１バネ座の離脱を回避可能である。
【００１１】
更に、前記吊りバネ固定ベースの中心には貫通孔が設けられており、前記懸架ロッドは、前記貫通孔に挿通されて吊りバネ本体内に伸入するとともに、第２弾性構造に接続される。前記貫通孔は、懸架ロッドと摺動するよう係合する第１貫通孔部及び第２貫通孔部を含む。前記第２貫通孔部内には第２バネ座と制震バネの一部が設けられ、前記第２バネ座は、制震バネによって第２貫通孔部内に当接している。前記第１貫通孔部の孔径は第２貫通孔部よりも小さく、これらの交差箇所に、制震バネの作用で第２バネ座が離脱しないよう防止する位置規制構造が設けられる。
【００１２】
更に、前記吊りバネ固定ベースの第１貫通孔部の内側には、ダンピンググリースを保持するための減衰溝が設けられ、減衰溝が設けられた吊りバネ固定ベースの外側には吊りバネ補強リブが設けられる。好ましくは、前記減衰溝は貫通孔の軸方向に延伸し、前記吊りバネ補強リブが減衰溝に対応して設けられる。より好ましくは、前記減衰溝は第１貫通孔部の周方向に均一に設けられ、前記吊りバネ補強リブが減衰溝に対応して設けられる。
【００１３】
更に、前記第１バネ座と第２バネ座の中心には、いずれも懸架ロッドを挿通するための貫通孔が設けられ、前記第２バネ座の貫通孔は、少なくとも一部が懸架ロッドと摺動するよう係合する。前記第２バネ座における懸架ロッドと摺動するよう係合する貫通孔の内部には、ダンピンググリースを保持するための溝が設けられ、前記第２バネ座のうち溝が設置される部分の外側には補強リブが設けられる。好ましくは、前記溝は第２バネ座の貫通孔の軸方向に延伸し、前記補強リブが溝に対応して設けられる。より好ましくは、前記溝は貫通孔の周方向に均一に設けられ、前記補強リブが溝に対応して設けられる。
【００１４】
更に、前記第２弾性構造は減衰ユニットを更に含み、前記減衰ユニットは、第２バネ座と吊りバネ固定ベースの間に設けられ、一端が吊りバネ固定ベースの第２貫通孔部と摺動するよう係合するとともに、他端が第２バネ座の貫通孔内に伸入する。前記減衰ユニットの外側のうち第２バネ座の貫通孔に伸入する一端は円錐台構造をなしており、前記端の端部サイズが最も小さい。前記減衰ユニットの中心には貫通孔が設けられており、前記懸架ロッドが前記貫通孔に挿通されて前記貫通孔と摺動するよう係合する。
【００１５】
更に、前記減衰ユニットの貫通孔内には少なくとも３本の減衰リブが設けられ、好ましくは、前記減衰リブは減衰ユニットの貫通孔の周方向に均一に設けられる。前記減衰ユニットの貫通孔の両端には少なくとも１つの切欠きが設けられ、好ましくは、貫通孔の両端の切欠きはずらして設けられる。
【００１６】
第二の目的を実現するために、本発明では以下の技術方案を用いる。
【００１７】
上記のダンパーが配置された洗濯機であって、前記洗濯機は、更に、洗濯機筐体と洗濯機外槽を少なくとも含む。前記洗濯機筐体は、前記懸架ロッドと係合する装着構造が設けられて懸架ロッドに接続され、前記洗濯機外槽は、底部の円周側に前記掛架ロッドと係合する装着構造が設けられて掛架ロッドに接続される。或いは、前記洗濯機筐体は、前記掛架ロッドと係合する装着構造が設けられて掛架ロッドに接続され、前記洗濯機外槽は、底部の円周側に前記懸架ロッドと係合する装着構造が設けられて懸架ロッドに接続される。
【００１８】
更に、前記懸架ロッドのうち第１弾性構造から離間する一端は、フック状構造とするか、懸架ロッドが洗濯機の筐体／外槽から離脱しないよう防止する位置決め構造とし、前記洗濯機の筐体／外槽には、前記フック状構造と係合するフック孔か、位置決め構造と係合する装着孔が設けられる。前記掛架ロッドのうち第１弾性構造から離間する一端は、フック状構造とするか、掛架ロッドが洗濯機の外槽／筐体から離脱しないよう防止する位置決め構造とし、前記洗濯機の外槽／筐体には、前記フック状構造と係合するフック孔か、位置決め構造と係合する装着孔が設けられる。
【発明の効果】
【００１９】
本発明における上記技術方案を用いれば、以下の有益な効果が得られる。
【００２０】
１．本発明のダンパーは構造設計がシンプルであり、第１弾性構造と第２弾性構造を組み合わせることで制震効果が明らかに強化される。
【００２１】
２．本発明のダンパーは構造設計がシンプルである。吊りバネと第２弾性構造を組み合わせるとともに、吊りバネと第２弾性構造をダンパーの中央部分に設けることで、ダンパーの両端を小さな懸架ロッドと掛架ロッドのみとする。これにより、ダンパーは洗濯機の外槽においてわずかな位置しか占有しない。且つ、洗濯機の中央部位はスペースが広いため、ダンパーの構造をより大きく設計可能であり、長さのより長い制震バネや吊りバネを組み付け可能である。これにより、いっそう良好な制震効果が達せられる。
【００２２】
３．本発明では、吊りバネ固定ベースと第２バネ座の間に減衰ユニットを設け、且つ、これらの貫通孔内にダンピンググリースを保持するための溝を設けている。また、減衰ユニットの貫通孔内に減衰リブを更に設けている。これにより、ダンパー全体の減衰力が強化されるため、大容量のパルセータ洗濯機に適している。このほか、減衰ユニットのうち第２バネ座に伸入する側の一端は円錐台となっているため、減衰ユニットから付与される減衰力が可変となる。第２バネ座が減衰ユニットを押圧する力が大きいほど、減衰ユニットにより発生する減衰力は大きくなる。
【００２３】
４．本発明によれば、洗濯機の外槽の装着スペースが節約されるため、洗濯機の外槽体積を効果的に縮小させられる。よって、洗濯機の外槽設計が簡略化され、洗濯機の運転がより確実となる。
【図面の簡単な説明】
【００２４】
【図１】図１は、本発明のダンパーの縦方向の断面図である。
【図２】図２は、本発明のダンパーの分解図である。
【図３】図３は、図１のＹ部分の拡大図である。
【図４】図４は、本発明における吊りバネ固定ベースを示す図である。
【図５】図５は、本発明の第２バネ座を示す図である。
【図６】図６は、本発明の減衰ユニットを示す図である。
【発明を実施するための形態】
【００２５】
本発明における実施例の目的、技術方案及び利点をより明確とすべく、以下では本発明の実施例にかかる図面を組み合わせて、実施例の技術方案につき明瞭簡潔に述べる。なお、以下の実施例は本発明を説明するためのものであって、本発明の範囲を制限するものではない。
【００２６】
本発明の記載において、「上」、「下」、「内」、「外」等の用語で示される方向又は位置関係は、図示に基づく方向又は位置関係であり、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００２７】
本発明の記載において、別途明確に規定及び限定しない限り、「装着する」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００２８】
以下に、図面を組み合わせて、本発明の具体的実施形態につき更に説明する。
【００２９】
図１〜図６に示すように、洗濯機のダンパーは懸架ロッド１を含む。前記懸架ロッド１の一端は、洗濯機の筐体／外槽に接続される。また、前記ダンパーは、更に、第１弾性構造２と第２弾性構造３を含む。前記第１弾性構造２は、一端に洗濯機の外槽／筐体に接続される掛架ロッド２１が設けられ、他端が、懸架ロッド１に摺動するよう設置される接続部材を介して懸架ロッド１に接続される。前記第２弾性構造３は、第１弾性構造２の内部に設けられるとともに、一端が懸架ロッド１に接続される。前記懸架ロッド１は、掛架ロッド２１に対し軸方向に移動可能に設けられており、移動時に前記第１弾性構造２と第２弾性構造３に変形を生じさせる。
【００３０】
上記の方案において、本発明の前記洗濯機のダンパーは、一般的にパルセータ洗濯機に用いられる。前記懸架ロッド１の一端は、懸架ロッドベース４を介して洗濯機の筐体／外槽に接続される。また、前記掛架ロッド２１は、掛架ロッドベース５を介して洗濯機の外槽／筐体に接続される。前記第１弾性構造２と第２弾性構造３はいずれも弾性を有し、外力の作用によって変形する一方、外力が除去されると元の状態に回復する。前記第１弾性構造２のうち変形が生じる弾性部はいずれもバネとしてもよいし、一方をバネとし、他方をその他の形式の弾性部としてもよい。前記懸架ロッド１は、掛架ロッド２１に対し軸方向に移動可能に設けられており、移動時に前記第１弾性構造２と第２弾性構造３に変形を生じさせることで減衰力を付与する。前記掛架ロッド２１は、一端が第１弾性構造２の一端に設けられ、他端が洗濯機の筐体又は外槽に接続される。また、前記懸架ロッド１は、一端が洗濯機の外槽又は筐体に接続される。更に、前記懸架ロッド１は、懸架ロッド１に摺動するよう設置される接続部材を介して第１弾性構造２の他端に接続されるとともに、第２弾性構造３にも接続される。
【００３１】
更に、前記第１弾性構造２は吊りバネ２を含む。吊りバネ２は、吊りバネ本体２２と、吊りバネ本体２２の一端に設けられる掛架ロッド２１及び他端に設けられる接続部材を含む。
【００３２】
前記接続部材は吊りバネ固定ベース２３であって、吊りバネ本体２２に取り外し可能に接続される。前記第２弾性構造３は前記吊りバネ本体２２内に設けられ、吊りバネ固定ベース２３と懸架ロッド１の他端の間に位置する。好ましくは、前記吊りバネ固定ベース２３と前記吊りバネ本体２２がネジ接続される。
【００３３】
前記吊りバネ本体２２と掛架ロッド２１は一体的に成型される。或いは、前記吊りバネ本体２２と掛架ロッド２１は固定接続される。或いは、前記吊りバネ本体２２と掛架ロッド２１は取り外し可能に接続される。
【００３４】
上記の方案において、前記吊りバネ固定ベース２３と吊りバネ本体２２は取り外し可能に接続される。接続方式は、係接、ネジ接続等とすればよい。本方案において、好ましい実施例としては、前記吊りバネ固定ベース２３と前記吊りバネ本体２２がネジ接続される。前記吊りバネ固定ベース２３は、吊りバネ２を接続及び固定するとともに、第２弾性構造３を、吊りバネ本体２２内に設けて吊りバネ固定ベース２３と懸架ロッド１の他端との間に位置させるとの作用を有する。
【００３５】
更に、前記第２弾性構造３は、制震バネ３１、第１バネ座３２、第２バネ座３３を含む。
【００３６】
前記第１バネ座３２、第２バネ座３３は、それぞれ制震バネ３１の両端に設けられるとともに、制震バネ３１に当接している。前記第２弾性構造３は、第２バネ座３３を介して吊りバネ固定ベース２３に当接し、第１バネ座３２を介して懸架ロッド１の他端に接続される。
【００３７】
前記懸架ロッド１は、吊りバネ固定ベース２３、第２バネ座３３、制震バネ３１及び第１バネ座３２に順に挿通される。且つ、懸架ロッド１の他端には、第１バネ座３２が制震バネ３１の作用で離脱しないよう防止する位置決め構造が設けられている。ロッドの他端は接続されている。前記第１バネ座３２には、制震バネ３１の弾性力の作用によって懸架ロッド１から離脱するような付勢力がかかるが、位置決め構造を設けることで、懸架ロッド１からの第１バネ座３２の離脱が回避可能である。
【００３８】
上記の方案において、前記制震バネ３１は、第１バネ座３２と第２バネ座３３の間に挟持されるとともに、これらにそれぞれ当接している。そのため、前記懸架ロッド１が第１バネ座３２を変位させることで制震バネ３１に変形が生じ、減衰力が発生する。前記懸架ロッド１の他端とは、懸架ロッド１のうち洗濯機の筐体／外槽に接続されない側の一端である。前記懸架ロッド１の他端における位置決め構造は、懸架ロッド１に取り外し可能に接続される構造としてもよいし、懸架ロッド１と一体的に成型される構造としてもよい。懸架ロッド１の前記端が、吊りバネ固定ベース２３、第２バネ座３３、制震バネ３１及び第１バネ座３２に順に挿通可能な場合、懸架ロッド１の位置決め構造は、懸架ロッド１と一体的に成型することが好ましい。しかし、懸架ロッド１の前記端が、吊りバネ固定ベース２３、第２バネ座３３、制震バネ３１及び第１バネ座３２に順に挿通不可能な場合には、懸架ロッド１の位置決め構造を懸架ロッド１に取り外し可能に接続せねばならない。
【００３９】
更に、前記吊りバネ固定ベース２３の中心には貫通孔が設けられている。前記懸架ロッド１は、前記貫通孔に挿通されて吊りバネ本体２２内に伸入し、第２弾性構造３に接続される。
【００４０】
前記貫通孔は、懸架ロッド１と摺動するよう係合する第１貫通孔部２３３及び第２貫通孔部２３４を含む。
【００４１】
前記第２貫通孔部２３４内には、第２バネ座３３と制震バネ３１の一部が設けられる。前記第２バネ座３３は、制震バネ３１によって第２貫通孔部２３４内に当接している。
【００４２】
前記第１貫通孔部２３３の孔径は第２貫通孔部２３４よりも小さく、これらの交差箇所に、制震バネ３１の作用で第２バネ座３３が離脱しないよう防止する位置規制構造が設けられる。
【００４３】
上記の方案では、前記第２バネ座３３が制震バネ３１によって第２貫通孔部２３４の内部に当接しているため、前記第２貫通孔部２３４の径方向における前記第２バネ座３３及び制震バネ３１の移動が防止される。前記位置規制構造は、第２バネ座３３と制震バネ３１を前記吊りバネ本体内に位置規制する。第１貫通孔部２３３の孔径は第２貫通孔部２３４よりも小さいため、２つの貫通孔部の交差箇所自体を、制震バネ３１の作用で第２バネ座３３が離脱しないよう防止する位置規制構造とすることができる。好ましくは、前記位置規制構造は、貫通孔の内径の違いによって発生する位置規制面である。或いは、２つの貫通孔部の交差箇所に、制震バネ３１の作用で第２バネ座３３が離脱しないよう防止する位置規制構造を別途設ける。
【００４４】
更に、前記吊りバネ固定ベース２３の第１貫通孔部２３３の内側には、ダンピンググリースを保持するための減衰溝２３１が設けられる。また、減衰溝２３１が設けられた吊りバネ固定ベース２３の外側には吊りバネ補強リブ２３２が設けられる。好ましくは、前記減衰溝２３１が貫通孔の軸方向に延伸し、前記吊りバネ補強リブ２３２が減衰溝２３１に対応して設けられる。より好ましくは、前記減衰溝２３１が第１貫通孔部２３３の周方向に均一に設けられ、前記吊りバネ補強リブ２３２が減衰溝２３１に対応して設けられる。
【００４５】
上記の方案において、前記ダンピンググリースは、幅広く応用されている高抵抗潤滑グリースとする。また、運動部材がより安定的、円滑且つ正確に運動するよう、主として、抵抗要求の比較的厳しいスロースイッチ機構におけるブロック、緩衝、防水・密封向けに設計する。減衰溝２３１内にダンピンググリースを保持することで、減衰性能が向上するとともに、摩耗も低減する。また、前記吊りバネ補強リブ２３２によって、吊りバネ固定ベース２３の強度が強化される。減衰溝２３１が貫通孔の軸方向に延伸している場合には、懸架ロッド１と吊りバネ固定ベース２３との相対的な摺動に対する減衰力が小さくなる。そのため、減衰力を付与しつつも、減衰力が大きくなりすぎて懸架ロッド１との相対的な摺動に支障をきたすということがない。また、前記減衰溝２３１を第１貫通孔部２３３の周方向に均一に設けるのは、付与する減衰力を均一に配分することで不要な傾き等を回避するためである。このほか、より好ましくは、吊りバネ固定ベース２３が使用過程で傾斜し、吊りバネ固定ベース２３の内部に設けられる第２バネ座３３と制震バネの一部が摩擦、干渉、衝突して異音が発生しないよう、吊りバネ固定ベース２３は一定の長さを有する。
【００４６】
更に、前記第１バネ座３２と第２バネ座３３の中心には、いずれも懸架ロッド１を挿通するための貫通孔が設けられる。前記第２バネ座３３の貫通孔は、少なくとも一部が懸架ロッド１と摺動するよう係合する。
【００４７】
前記第２バネ座３３における懸架ロッド１と摺動するよう係合する貫通孔の内部には、ダンピンググリースを保持するための溝３３１が設けられる。また、前記第２バネ座３３のうち溝３３１が設置される部分の外側には補強リブ３３２が設けられる。好ましくは、前記溝３３１が第２バネ座３３の貫通孔の軸方向に延伸し、前記補強リブ３３２が溝３３１に対応して設けられる。より好ましくは、前記溝３３１が貫通孔の周方向に均一に設けられ、前記補強リブ３３２が溝３３１に対応して設けられる。
【００４８】
上記の方案において、前記第２バネ座３３の貫通孔の内部にダンピンググリースを保持するための溝３３１を設けるのは、第２バネ座３３の減衰力を強化しつつも、減衰力が大きくなりすぎて懸架ロッド１との相対的な摺動に支障をきたさないようにし、且つ摩耗を低減させるためである。また、外側に補強リブ３３２を設けるのは、第２バネ座３３の強度を強化するためである。且つ、軸方向に延伸させるのは、適切な減衰力を得るためである。また、周方向に均一に設けるのは、発生した減衰力を均一に配分することで、減衰力のムラによる傾斜等の想定外の事態を回避するためである。
【００４９】
更に、前記第２弾性構造３は減衰ユニット３４を含む。前記減衰ユニット３４は、第２バネ座３３と吊りバネ固定ベース２３の間に設けられ、一端が吊りバネ固定ベース２３の第２貫通孔部２３４と摺動するよう係合するとともに、他端が第２バネ座３３の貫通孔内に伸入する。前記減衰ユニット３４の外側のうち第２バネ座３３の貫通孔に伸入する一端は円錐台構造をなしており、前記端の端部サイズが最も小さい。前記減衰ユニット３４の中心には貫通孔が設けられており、前記懸架ロッド１が前記貫通孔に挿通されて前記貫通孔と摺動するよう係合する。
【００５０】
上記の方案において、前記減衰ユニット３４は、適切な減衰力を付与するとともに、第２バネ座３３及び吊りバネ固定ベース２３と懸架ロッド１との摺動接続をより確実とする。これにより、各部材の傾斜の恐れが低下するため、全体としての信頼性が向上する。減衰ユニット３４は、吊りバネ固定ベース２３の第２貫通孔部２３４と摺動するよう係合するため、吊りバネ固定ベース２３の径方向への延伸が回避される。また、前記減衰ユニット３４の外側のうち第２バネ座３３の貫通孔に伸入する一端は円錐台構造をなしているため、前記減衰ユニットにより形成される減衰力が可変となる。洗濯機の脱水運転過程において、第２バネ座３３は力を受けると減衰ユニット３４を押圧するため、減衰ユニット３４の貫通孔が縮小し、懸架ロッド１に対して形成される抵抗力が増大する。第２バネ座３３にかかる押圧力が大きいほど、減衰ユニットによる減衰力は大きくなる。
【００５１】
更に、前記減衰ユニット３４の貫通孔内には、少なくとも３本の減衰リブ３４１が設けられる。好ましくは、前記減衰リブ３４１は減衰ユニット３４の貫通孔の周方向に均一に設けられる。また、前記減衰ユニット３４の貫通孔の両端には、少なくとも１つの切欠き３４２が設けられる。好ましくは、貫通孔の両端の切欠き３４２はずらして設けられる。
【００５２】
上記の方案において、減衰リブ３４１を複数設けるのは、減衰ユニット３４による摩擦減衰力を強化することで、減衰ユニット３４の信頼性を高めるためである。また、周方向に均一に設けるのは、減衰力を均一とすることで、減衰ユニット３４の意図しない変形や傾斜によって第２バネ座３３、制震バネ３１又は吊りバネ固定ベース２３同士の位置及び動作に支障をきたさないようにするためである。減衰ユニット３４の貫通孔の両端に切欠き３４２を設けるのは、減衰ユニット３４の弾性を強化することで使用寿命を延長するためである。また、貫通孔の両端の切欠き３４２をずらして設けることで、弾性が強化されるとともに、減衰ユニット３４の強度も強化される。
【００５３】
更に、本発明は、上述したダンパーを含む洗濯機を提供する。前記洗濯機は、更に、洗濯機筐体と洗濯機外槽を少なくとも含み、以下を特徴とする。即ち、前記洗濯機筐体は、前記懸架ロッド１と係合する装着構造が設けられ、懸架ロッド１に接続される。また、前記洗濯機外槽は、底部の円周側に前記掛架ロッド２１と係合する装着構造が設けられ、掛架ロッド２１に接続される。
【００５４】
或いは、前記洗濯機筐体は、前記掛架ロッド２１と係合する装着構造が設けられ、掛架ロッド２１に接続される。また、前記洗濯機外槽は、底部の円周側に前記懸架ロッド１と係合する装着構造が設けられ、懸架ロッド１に接続される。
【００５５】
上記の方案において、前記懸架ロッド１と掛架ロッド２１のうち第１弾性構造２から離間する一端はフック状構造としてもよいし、係接構造又はネジ接続構造としてもよい。一般的には、フック状構造とすることが好ましい。
【００５６】
更に、前記懸架ロッド１のうち第１弾性構造２から離間する一端は、フック状構造とするか、懸架ロッド１が洗濯機の筐体／外槽から離脱しないよう防止する位置決め構造とする。また、前記洗濯機の筐体／外槽には、前記フック状構造と係合するフック孔か、位置決め構造と係合する装着孔が設けられる。
【００５７】
前記掛架ロッド２１のうち第１弾性構造２から離間する一端は、フック状構造とするか、掛架ロッド２１が洗濯機の外槽／筐体から離脱しないよう防止する位置決め構造とする。また、前記洗濯機の外槽／筐体には、前記フック状構造と係合するフック孔か、位置決め構造と係合する装着孔が設けられる。
【実施例１】
【００５８】
図１〜６に示すように、本実施例において、前記洗濯機のダンパーはパルセータ洗濯機に設けられる。
【００５９】
前記洗濯機のダンパーは懸架ロッド１を含む。前記懸架ロッド１の一端は、洗濯機の筐体／外槽に接続される。また、前記ダンパーは、更に、第１弾性構造２と第２弾性構造３を含む。前記第１弾性構造２は、一端に洗濯機の外槽／筐体に接続される掛架ロッド２１が設けられ、他端が、懸架ロッド１に摺動するよう設置される接続部材を介して懸架ロッド１に接続される。前記第２弾性構造３は、第１弾性構造２の内部に設けられるとともに、一端が懸架ロッド１に接続される。前記懸架ロッド１は、掛架ロッド２１に対し軸方向に移動可能に設けられており、移動時に前記第１弾性構造２と第２弾性構造３に変形を生じさせる。
【００６０】
図１〜図６に示すように、具体的に、前記第１弾性構造２は吊りバネ２を含む。吊りバネ２は、吊りバネ本体２２と、吊りバネ本体２２の一端に設けられる掛架ロッド２１及び他端に設けられる接続部材を含む。前記接続部材は吊りバネ固定ベース２３であり、前記吊りバネ固定ベース２３と前記吊りバネ本体２２がネジ接続される。前記第２弾性構造３は前記吊りバネ本体２２内に設けられ、吊りバネ固定ベース２３と懸架ロッド１の他端の間に位置する。
【００６１】
前記吊りバネ本体２２と掛架ロッド２１は一体的に成型される。
【００６２】
前記第２弾性構造３は、制震バネ３１、第１バネ座３２、第２バネ座３３を含む。前記第１バネ座３２、第２バネ座３３は、それぞれ制震バネ３１の両端に設けられるとともに、制震バネ３１に当接している。前記第２弾性構造３は、第２バネ座３３を介して吊りバネ固定ベース２３に当接し、第１バネ座３２を介して懸架ロッド１の他端に接続される。前記懸架ロッド１は、吊りバネ固定ベース２３、第２バネ座３３、制震バネ３１及び第１バネ座３２に順に挿通される。且つ、懸架ロッド１の他端には、第１バネ座３２が制震バネ３１の作用で離脱しないよう防止する位置決め構造が設けられている。ロッドの他端は接続されている。
【００６３】
前記吊りバネ固定ベース２３の中心には貫通孔が設けられている。前記懸架ロッド１は、前記貫通孔に挿通されて吊りバネ本体２２内に伸入し、第２弾性構造３に接続される。前記貫通孔は、懸架ロッド１と摺動するよう係合する第１貫通孔部２３３及び第２貫通孔部２３４を含む。前記第２貫通孔部２３４内には、第２バネ座３３と制震バネ３１の一部が設けられる。前記第２バネ座３３は、制震バネ３１によって第２貫通孔部２３４内に当接している。前記第１貫通孔部２３３の孔径は第２貫通孔部２３４よりも小さく、これらの交差箇所に、制震バネ３１の作用で第２バネ座３３が離脱しないよう防止する位置規制構造が設けられる。
【００６４】
前記吊りバネ固定ベース２３の中心には貫通孔が設けられている。前記懸架ロッド１は、前記貫通孔に挿通されて吊りバネ本体２２内に伸入し、第２弾性構造３に接続される。前記貫通孔は、懸架ロッド１と摺動するよう係合する第１貫通孔部２３３及び第２貫通孔部２３４を含む。前記第２貫通孔部２３４内には、第２バネ座３３と制震バネ３１の一部が設けられる。前記第２バネ座３３は、制震バネ３１によって第２貫通孔部２３４内に当接している。前記第１貫通孔部２３３の孔径は第２貫通孔部２３４よりも小さく、これらの交差箇所に、制震バネ３１の作用で第２バネ座３３が離脱しないよう防止する位置規制構造が設けられる。
【００６５】
前記吊りバネ固定ベース２３の第１貫通孔部２３３の内側には、ダンピンググリースを保持するための減衰溝２３１が設けられる。また、減衰溝２３１が設けられた吊りバネ固定ベース２３の外側には吊りバネ補強リブ２３２が設けられる。前記減衰溝２３１は、貫通孔の軸方向に延伸するとともに、第１貫通孔部２３３の周方向に均一に設けられる。また、前記吊りバネ補強リブ２３２は減衰溝２３１に対応して設けられる。
【００６６】
前記第１バネ座３２と第２バネ座３３の中心には、いずれも懸架ロッド１を挿通するための貫通孔が設けられる。前記第２バネ座３３の貫通孔は、少なくとも一部が懸架ロッド１と摺動するよう係合する。
【００６７】
前記第２バネ座３３における懸架ロッド１と摺動するよう係合する貫通孔の内部には、ダンピンググリースを保持するための溝３３１が設けられる。また、前記第２バネ座３３のうち溝３３１が設置される部分の外側には補強リブ３３２が設けられる。前記溝３３１は、第２バネ座３３の貫通孔の軸方向に延伸するとともに、貫通孔の周方向に均一に設けられる。また、前記補強リブ３３２は溝３３１に対応して設けられる。
【００６８】
前記第２弾性構造３は減衰ユニット３４を更に含む。前記減衰ユニット３４は第２バネ座３３と吊りバネ固定ベース２３の間に設けられ、一端が吊りバネ固定ベース２３の第２貫通孔部２３４と摺動するよう係合するとともに、他端が第２バネ座の貫通孔内に伸入する。前記減衰ユニットの外側のうち第２バネ座の貫通孔に伸入する一端は円錐台構造をなしており、前記端の端部サイズが最も小さい。前記減衰ユニット３４の中心には貫通孔が設けられており、前記懸架ロッド１が前記貫通孔に挿通されて前記貫通孔と摺動するよう係合する。
【００６９】
前記減衰ユニット３４の貫通孔内には少なくとも３本の減衰リブ３４１が設けられる。前記減衰リブ３４１は減衰ユニット３４の貫通孔の周方向に均一に設けられる。また、前記減衰ユニット３４の貫通孔の両端には少なくとも１つの切欠き３４２が設けられる。貫通孔の両端の切欠き３４２はずらして設けられる。
【００７０】
本実施例の前記パルセータ洗濯機は、少なくとも洗濯機筐体と洗濯機外槽を含む。前記洗濯機筐体は、前記懸架ロッド１と係合する装着構造が設けられ、懸架ロッド１に接続される。また、前記洗濯機外槽は、底部の円周側に前記掛架ロッド２１と係合する装着構造が設けられ、掛架ロッド２１に接続される。
【００７１】
前記懸架ロッド１と掛架ロッド２１のうち第１弾性構造２から離間する一端はフック状構造とする。また、前記洗濯機筐体と洗濯機外槽には、前記フック状構造と係合するフック孔が設けられている。
【実施例２】
【００７２】
図１〜６に示すように、本実施例において、前記洗濯機のダンパーはパルセータ洗濯機に設けられる。
【００７３】
前記洗濯機のダンパーは懸架ロッド１を含む。前記懸架ロッド１の一端は、洗濯機の筐体／外槽に接続される。また、前記ダンパーは、更に、第１弾性構造２と第２弾性構造３を含む。前記第１弾性構造２は、一端に洗濯機の外槽／筐体に接続される掛架ロッド２１が設けられ、他端が、懸架ロッド１に摺動するよう設置される接続部材を介して懸架ロッド１に接続される。前記第２弾性構造３は、第１弾性構造２の内部に設けられるとともに、一端が懸架ロッド１に接続される。前記懸架ロッド１は、掛架ロッド２１に対し軸方向に移動可能に設けられており、移動時に前記第１弾性構造２と第２弾性構造３に変形を生じさせる。
【００７４】
実施例１との違いとして、前記掛架ロッド２１は洗濯機筐体に接続され、前記懸架ロッド１の他端は洗濯機外槽に接続される。
【００７５】
前記洗濯機筐体は、前記掛架ロッド２１と係合する装着構造が設けられ、掛架ロッド２１に接続される。また、前記洗濯機外槽は、底部の円周側に前記懸架ロッド１と係合する装着構造が設けられ、懸架ロッド１に接続される。
【００７６】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。なお、以上は本発明の実施形態であるが、当業者であれば、本発明の原理を逸脱しないことを前提に、更に様々な変形及び改良が可能であり、これらもまた本発明による保護の範囲とみなされる。
【符号の説明】
【００７７】
１      懸架ロッド
２      第１弾性構造／吊りバネ
２１    掛架ロッド
２２    吊りバネ本体
２３    吊りバネ固定ベース
２３１  減衰溝
２３２  吊りバネ補強リブ
２３３  第１貫通孔部
２３４  第２貫通孔部
３      第２弾性構造
３１    制震バネ
３２    第１バネ座
３３    第２バネ座
３３１  溝
３３２  補強リブ
３４    減衰ユニット
３４１  減衰リブ
３４２  切欠き
４      懸架ロッドベース
５      掛架ロッドベース
【図１】
2020519377.tif 000003
【図２】
2020519377.tif 000004
【図３】
2020519377.tif 000005
【図４】
2020519377.tif 000006
【図５】
2020519377.tif 000007
【図６】
2020519377.tif 000008
【国際調査報告】
2020519377.tif 000009
2020519377.tif 000010
2020519377.tif 000011
2020519377.tif 000012